(57)【要約】【課題】  ペットの糞尿を処理すべく、衛生的で、処理作業が容易なシート部材、およびペット用トイレを提供する。【解決手段】  平板状の長方形下板３１と、下板３１上に上載される長方形吸収シート２と、下板３１の三辺に沿って点在的に突設した支片３１ａを介して下板３１上に隙間Ｈを保って配置し且つ下板と略等しい形状と大きさの外形寸法を有する四角枠体３２と、下板３１の他の一辺の上下の隙間Ｈから下板３１と枠体３２との間に吸液シート２の四辺を着脱可能に挟んで配置してある。また、このシート部材３０を、ペット用トイレを構成する略皿状の受具本体１の底面に敷く。【選択図】      図２
2007244202.tif 000002
【特許請求の範囲】
【請求項１】
ペット用トイレを構成する略皿状の受具本体（１）の底面に敷かれるペット用トイレのシート部材であって、平板状の長方形下板（３１）と、下板（３１）上に上載される長方形吸収シート（２）と、下板（３１）と略等しい形状と大きさの外形寸法を有し且つ下板（３１）上に配置した四角枠体（３２）と、下板（３１）と枠体（３２）の間に吸液シート（２）の四辺を着脱可能に挟んで配置したことを特徴とするペット用トイレのシート部材。
【請求項２】
ペット用トイレを構成する略皿状の受具本体（１）の底面に敷かれるペット用トイレのシート部材であって、平板状の長方形下板（３１）と、下板（３１）上に上載される長方形吸収シート（２）と、下板（３１）の三辺に沿って点在的に突設した支片（３１ａ）を介して下板（３１）上に隙間（Ｈ）を保って配置し且つ下板と略等しい形状と大きさの外形寸法を有する四角枠体（３２）と、下板（３１）の他の一辺の上下の隙間（Ｈ）から下板（３１）と枠体（３２）との間に吸液シート（２）の四辺を着脱可能に挟んで配置したことを特徴とするペット用トイレのシート部材。
【請求項３】
ペット用トイレを構成する略皿状の受具本体（１）の底面に敷かれるシート部材であって、平板状の長方形下板（３１）と、下板（３１）上に上載される長方形吸液シート（２）と、下板の後端部にヒンジ（３４）によって上向きに回動自在に結合され，前記下板と略等しい形状と大きさの外形を有する四角枠体（３２）と、下板（３１）と枠体（３２）との間に吸収シート（２）の四辺を着脱可能に挟んで配置し、枠体の前端部上面に水平方向に回動自在に軸支された断面コ字状で，閉状態で，下板を掛止する掛止具（３３）と、からなることを特徴とするペット用トイレのシート部材。
【請求項４】
矩形状である底壁（１１）の前端部に前壁（１２）を立設すると共に，両側端部に側壁（１３，１３）を立設した外受具（１０）と、同じく矩形状である底板（２１）の後端部に後板（２２）を立設すると共に，両側端部に側板（２３，２３）を立設した内受具（２０）とを有し、前記外受具と内受具を重合して前後方向に伸縮自在に組付けて略皿状の受具本体（１）を形成し、前記底板の下面から突起（２４）を垂下設し，前記底壁に，前記突起が進入する係合孔部（１４）を，前後方向に複数設け、前記受具本体の底面に、請求項１，２又は３に記載のシート部材（３０）を敷いてなることを特徴とするペット用トイレ。
【請求項５】
矩形状である底壁（１１）の前端部に前壁（１２）を立設すると共に，両側端部に側壁（１３，１３）を立設し，前記底壁の横断面形状を凹壁部（１１ａ）と凸壁部（１１ｂ）からなる波形状とした外受具（１０）と、同じく矩形状である底板（２１）の後端部に後板（２２）を立設すると共に，両側端部に側板（２３，２３）を立設し，前記底板の横断面形状を前記底壁に重合する凹板部（２１ａ）と凸板部（２１ｂ）からなる波形状とした内受具（２０）とを有し、前記外受具と内受具を重合して前後方向に伸縮自在に組付けて略皿状の受具本体（１）を形成し、前記底板の凹板部下面から突起（２４）を垂下設し，前記底壁の凹壁部に，前記突起が進入する係合孔部（１４）を，前後方向に複数設け、前記受具本体の底面に、請求項１，２又は３に記載のシート部材（３０）を敷いてなることを特徴とするペット用トイレ。
【発明の詳細な説明】
【技術分野】
【０００１】
本発明は、主として、室内に設置して、あらゆる大きさの室内犬や猫等のペットの糞尿を、衛生的かつ容易に処理することができるシート部材およびペット用トイレに関するものである。
【背景技術】
【０００２】
マルチーズやプードルなどの主として室内で飼育される各種の室内犬や猫は、一般に、夜、室内で運動し、早朝に排泄する。また、室内犬などは、子犬のときに躾をすることによって、同一場所で排泄をするようになる。
【０００３】
こうしたことから、通常、室内犬や猫の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。
【０００５】
こうした犬や猫の糞尿を処理する道具としては、これまでに携帯用のトイレが創案されている（例えば、特許文献１参照）。従って、これを室内に設置して使用することも可能ではある。
【特許文献１】実開平７−３４６５２号公報
【発明の開示】
【発明が解決しようとする課題】
【０００６】
しかし、この携帯用トイレは、その大きさが不変であるため、例えば、子犬のときは使用し易い大きさであったが、成犬になるにつれて大きさが不足してしまい、床などに漏れてしまう等の大きな問題がある。また、人が誤って踏んだり、大型犬が頻繁に使用するとその重みで破損し易いという問題もあった。
【０００７】
本発明はこうした問題に鑑み創案されたもので、衛生的で、処理作業が容易なシート部材、および衛生的で処理作業が容易で、室内犬や猫の大きさに対応してそのサイズを自在に調整することができ、さらに機械的強度に優れるペット用トイレを提供することを課題とする。
【課題を解決するための手段】
【０００８】
図１乃至図４を参照して説明する。請求項１の考案に係るペット用トイレのシート部材は、ペット用トイレを構成する略皿状の受具本体１の底面に敷かれるペット用トイレのシート部材であって、平板状の長方形下板３１と、下板３１上に上載される長方形吸収シート２と下板３１と略等しい形状と大きさの外形寸法を有し且つ下板３１上に配置した四角枠体３２と、下板３１と枠体３２の間に吸液シート２の四辺を着脱可能に挟んで配置したことを特徴とするものである。
【０００９】
図１及び図２を参考にして説明する。請求項２の考案に係るペット用トイレのシート部材は、ペット用トイレを構成する略皿状の受具本体１の底面に敷かれるペット用トイレのシート部材であって、平板状の長方形下板３１と、下板３１上に上載される長方形吸収シート２と、下板３１の三辺に沿って点在的に突設した支片３１ａを介して下板３１上に隙間Ｈを保って配置し且つ下板と略等しい形状と大きさの外形寸法を有する四角枠体３２と、下板３１の他の一辺の上下の隙間Ｈから下板３１と枠体３２との間に吸液シート２の四辺を着脱可能に挟んで配置したことを特徴とするものである。
【００１０】
図３〜６を参考にして説明する。請求項３の考案に係るペット用トイレのシート部材は、ペット用トイレを構成する略皿状の受具本体１の底面に敷かれるシート部材であって、平板状の長方形下板３１と、下板３１上に上載される長方形吸液シート２と、下板の後端部にヒンジ３４によって上向きに回動自在に結合され，前記下板と略等しい形状と大きさの外形を有する四角枠体３２と、下板３１と枠体３２との間に吸収シート２の四辺を着脱可能に挟んで配置し、枠体の前端部上面に水平方向に回動自在に軸支された断面コ字状で，閉状態で，下板を掛止する掛止具３３と、からなることを特徴とするものである。
【００１１】
図７〜９を参考にして説明する。請求項４の考案に係るペット用トイレは、矩形状である底壁１１の前端部に前壁１２を立設すると共に，両側端部に側壁１３，１３を立設した外受具１０と、同じく矩形状である底板２１の後端部に後板２２を立設すると共に，両側端部に側板２３，２３を立設した内受具２０とを有し、前記外受具と内受具を重合して前後方向に伸縮自在に組付けて略皿状の受具本体１を形成し、前記底板の下面から突起２４を垂下設し，前記底壁に，前記突起が進入する係合孔部１４を，前後方向に複数設け、前記受具本体の底面に、請求項１，２又は３に記載のシート部材３０を敷いたことを特徴とするものである。
【００１２】
図７〜１０を参考にして説明する。請求項５の考案に係るペット用トイレは、矩形状である底壁１１の前端部に前壁１２を立設すると共に，両側端部に側壁１３，１３を立設し，前記底壁の横断面形状を凹壁部１１ａと凸壁部１１ｂからなる波形状とした外受具１０と、同じく矩形状である底板２１の後端部に後板２２を立設すると共に，両側端部に側板２３，２３を立設し，前記底板の横断面形状を前記底壁に重合する凹板部２１ａと凸板部２１ｂからなる波形状とした内受具２０とを有し、前記外受具と内受具を重合して前後方向に伸縮自在に組付けて略皿状の受具本体１を形成し、前記底板の凹板部下面から突起２４を垂下設し，前記底壁の凹壁部に，前記突起が進入する係合孔部１４を，前後方向に複数設け、  前記受具本体の底面に、請求項１，２又は３に記載のシート部材３０を敷いたものである。
【発明の効果】
【００１３】
請求項１〜３に記載のシート部材３０は、吸液シート２の周端部を、当該枠体３２と下板３１との間で挟持させるので、吸液シート２を安定姿勢で保持することができる。また、吸液シート２を、下板３１から離脱させ、吸液シート２の取換え作業を容易に行うことができる。
【００１４】
請求項４に記載のペット用トイレは、略皿状の受具本体１を、外受具１０と内受具２０を重合し、内受具２０の底板２１に設けた突起２４を、外受具１０の底壁１１に前後方向に複数設けた係合孔部１４の一つに進入させるので、ペットの大きさに応じて伸縮させて前後方向のサイズを調整することができる。これにより、大型、中型および小型の室内犬や猫の糞尿を床などに漏らすことなく確実に受けることができる。また、例えば、子犬が成長して成犬になる間、当該ペット用トイレを伸長しながら使用することができるので、一つのペット用トイレで対応することができる。
【００１５】
なお、受具本体１の前後方向の長さは、突起２４を係合孔部１４に進入させた係止状態で設定するものであり、従って、当該突起２４はいわゆるストッパーのはたらきを担う。
【００１６】
また、受具本体１の底面に、前記シート部材３０を敷くので、ペットの糞尿は、吸液シート２が吸収し、さらに、汚れた吸液シート２を新たなものと交換することで糞尿を処理することができるので、衛生的であり、処理作業も容易である。
【００１７】
請求項５に記載のペット用トイレは、請求項４に記載の発明と同様に、あらゆる大きさのペットに対応することができると共に、衛生的で処理作業が容易である。
【００１８】
また、外受具１０の底壁１１と内受具２０の底板２１を波形状としているので、補強リブを設けた場合と同様に、機械的強度に優れ、湾曲外力に対して充分な抵抗力を発揮する。従って、例えば、人が誤って踏んだり、あるいは大型犬が頻繁に使用しても、その重みによって破損することがない。
【００１９】
さらに、受具本体１の波形状の底面に平坦な下板３１を有するシート部材３０を上載したので、当該シート部材３０で底板２１および底壁１１の凹凸面を覆って平坦面とすることができる。従って、ペットにとって歩き易く、使用し易いものとすることができる。
【発明を実施するための最良の形態】
【００２０】
本発明に係るシート部材３０の第１実施形態を、図１及び図２に示す。これは、ペット用トイレを構成する受具本体１の底面に敷かれるものである。平板状の長方形下板３１と、下板３１上に上載される長方形吸収シート２と、下板３１の三辺に沿って点在的に突設した支片３１ａを介して下板３１上に隙間Ｈを保って配置し且つ下板と略等しい形状と大きさの外形寸法を有する四角枠体３２と、下板３１の他の一辺の上下の隙間Ｈから下板３１と枠体３２との間に吸液シート２の四辺を着脱可能に挟んで配置したものである。
【００２１】
本発明に係るシート部材３０の第２実施形態を、図３〜図６に示す。これは、ペット用トイレを構成する受具本体１の底面に敷かれるものであって、下板３１、吸液シート２、枠体３２、および掛止具３３で構成される。
【００２２】
下板３１は、平面矩形状で肉薄の平板状である。吸液シート２は、下板３１に上載され、当該下板３１と略等しい形状と大きさを有する。なお、この吸液シート２は、液体吸収シート２ａとその下面に設けた防水シート２ｂとで構成している。
【００２３】
枠体３２は、下板３１の後端部にヒンジ３４によって上向きに回動自在に結合されるもので、当該下板３１と略等しい形状と大きさの矩形状の外形を有する。この枠体３２は、四枚の板材３２ａで矩形状を形成し、その中央部に空間部Ｓを設けている。
【００２４】
掛止具３３は、枠体３２の前端部上面にその基端部が軸ピン３５によって軸支され、水平方向に回動自在で、断面コ字状である。そして、閉状態で、下板３１を掛止し、吸液シート２の四辺端部を、枠体３２と下板３１との間で強く挟持させる。なお、本第２実施形態における掛止具３３は、平板状の基板３３ａと断面コ字状の掛止部材３３ｂとで構成しており、当該掛止部材３３ｂで下板３１を掛止している。
【００２５】
本第２実施形態におけるシート部材３０は、掛止具３３によって、吸液シート２を、当該枠体３２と下板３１との間で強固に挟持させるので、当該吸液シート２を安定姿勢で強く保持することができる。また、掛止具３３を回動することによって、下板３１から離脱させ、挟持状態を解除することができるので、吸液シート２の取換え作業がきわめて容易である。
【００２６】
本発明に係るペット用トイレの第一実施形態を、図７〜図９に示す。これは、外受具１０と内受具２０と吸液シート２とで構成される。外受具１０は、矩形状である底壁１１の前端部に前壁１２を斜め外方に向けて立設すると共に、両側端部に側壁１３を斜め外方に立設し、前記底壁１１の横断面形状を凹壁部１１ａと凸壁部１１ｂからなる波形状としている。
【００２７】
なお、凹壁部１１ａと凸壁部１１ｂの数や形成箇所は限定されない。例えば、底壁１１の全体に形成しても良いし、中央部分のみ、あるいは左右両端部のみに形成しても良い。また、凹板部２１ａおよび凸板部２１ｂの形状（およびそれに対応する凹壁部１１ａと凸壁部１１ｂの形状）も限定されず、図９に示した略四角形状の他に、例えば、図１０に示すように、半円形状や三角形状とすることができる。
【００２８】
内受具２０は、同じく矩形状である底板２１の後端部に後板２２を斜め外方に立設すると共に、両側端部に側板２３を斜め外方に立設し、前記底板２１の横断面形状を底壁１１に重合する凹板部２１ａと凸板部２１ｂからなる波形状としている。そして、外受具１０と内受具２０を重合して前後方向に伸縮自在に組付けて略皿状の受具本体１を形成する。この凹板部２１ａと凸板部２１ｂは、凹壁部１１ａおよび凸壁部１１ｂの数および形成箇所に対応して形成する。
【００２９】
また、底板２１の凹板部２１ａ下面から突起２４を垂下設し、底壁１１の凹壁部１１ａに、前記突起２４が進入する係合孔部１４を、前後方向に所定の間隔をあけて複数設けている。
【００３０】
そして、吸液シート２を、液体吸収シート２ａと防水シート２ｂとで構成して受具本体１の底面に敷き、ペットの糞尿を吸収するようにしている。なお、この吸液シート２はこうした構成に限定されるものではなく、例えば、不織布で構成することもできる。
【００３１】
本実施形態に係るペット用トイレは、前記構成としたので、ペットの大きさに応じて伸縮させて前後方向のサイズを調整することができる。これにより、大型、中型および小型の室内犬や猫の糞尿を床などに漏らすことなく受けることができる。また、例えば、子犬が成長して成犬になる間、当該ペット用トイレを徐々に伸長しながら使用することができるので、一つのペット用トイレで対応することができる。
【００３２】
なお、ペット用トイレを伸長して使用する場合、それに対応した大きさのシート部材３０を敷くのが好ましい。シート部材３０の形状は限定されず、平面四角形状の他に、例えば、長尺状の長方形状とすることができる。
【００３３】
また、受具本体１の前後方向の長さは、突起２４が係合孔部１４に進入して係止することによって設定される。従って、受具本体１の上でペットが乱暴に動いても、その長さは一定に保たれるので、取扱いが容易である。
【００３４】
また、このペット用トイレは、外受具１０の底壁１１と内受具２０の底板２１を波形状としているので機械的強度に優れ、湾曲外力に対して充分な抵抗力を発揮する。従って、例えば、人が誤って踏んだり、あるいは大型犬が頻繁に使用しても、その重みによって破損することがない。
【００３５】
なお、ペットの糞尿は、シート部材３０の吸液シート２によって吸収し、その下面に設けた防水シート２ｂが、そこから漏れ出るのを防止するので衛生的である。また、汚れた吸液シート２を新たなものと交換することで糞尿を処理することができるので、より衛生的であり、処理作業も容易である。
【００３６】
なお、受具本体１の外受具１０および内受具２０は、凹壁部１１ａ、凸壁部１１ｂ、凹板部２１ａ、凸板部２１ｂを持たない、平坦な底壁１１および底板２１であっても良い。
【図面の簡単な説明】
【００３７】
【図１】本発明に係るシート部材の第１実施形態を示す一部切欠水平切断平面図である。
【図２】図１に示すシート部材の側面一部切欠鉛直切断断面図である。
【図３】本発明に係るシート部材の第２実施形態を示す平面図である。
【図４】図３に示すシート部材の側面断面図である（開放状態を示す）。
【図５】図３に示すシート部材の要部側面断面図である（閉状態を示す）。
【図６】本実施形態における掛止具を示すもので、（ａ）は図３のＡ−Ａ線断面図、（ｂ）はＢ−Ｂ線断面図である。
【図７】本発明に係るペット用トイレの第一実施形態を示す平面図である（伸長状態を示す）。
【図８】図７に示すペット用トイレの収縮状態を示す平面図である。
【図９】図８のＣ−Ｃ線拡大断面図である。
【図１０】凹板部および凸板部の他の態様を示す断面図である。
【符号の説明】
【００３８】
１        受具本体
２        吸液シート
２ａ      液体吸収シート
２ｂ      防水シート
１０      外受具
１１      底壁
１１ａ    凹壁部
１１ｂ    凸壁部
１２      前壁
１３      側壁
１４      係合孔部
２０      内受具
２１      底板
２１ａ    凹板部
２１ｂ    凸板部
２２      後板
２３      側板
２４      突起
３０      シート部材
３１      下板
３１ａ    支片
３２      枠体
３２ａ    板材
３３      掛止具
３４      ヒンジ
３５      軸ピン
Ｈ        隙間
Ｓ        空間部
【図１】
2007244202.tif 000003
【図２】
2007244202.tif 000004
【図３】
2007244202.tif 000005
【図４】
2007244202.tif 000006
【図５】
2007244202.tif 000007
【図６】
2007244202.tif 000008
【図７】
2007244202.tif 000009
【図８】
2007244202.tif 000010
【図９】
2007244202.tif 000011
【図１０】
2007244202.tif 000012